(57)【要約】  【課題】  母体と臍帯血等の検体との対応付けを高い信頼性で実現することができる検体管理システムを提供すること。  【解決手段】  臍帯血の所定の処理に係る時間情報を含む臍帯血情報を符号化し、臍帯血を管理する臍帯血管理装置２０と、臍帯血を収容する臍帯血採取バッグ３０と、臍帯血の所定の処理情報が記載される書類４０と、母体血を収容する母体血採取容器５０とを有し、臍帯血管理装置２０は、パソコン本体２０ａと、キーボード２０ｂと、液晶ディスプレイ２０ｃと、臍帯血を収容する臍帯血容器及び臍帯血の所定の処理情報が記載される書類に貼付された２次元バーコードを含む２次元ラベルを印刷するプリンタ２０ｄと、２次元バーコードを読み取るバーコードリーダ２０ｅとを備える構成とすることにより、母体と臍帯血等の検体との対応付けを高い信頼性で実現することができるようにした。【選択図】  図１
2005316655.tif 000002
【特許請求の範囲】
【請求項１】
検体を収容する検体収容手段と前記検体の所定の処理情報が記載される処理情報記載手段と前記検体を管理する検体管理装置とを有し、
前記検体収容手段及び処理情報記載手段は、前記検体の所定の処理に係る時間情報を含む検体情報が符号化されたバーコードを備え、
前記検体管理装置は、前記検体情報を入力する検体情報入力手段と、
前記バーコードを含むラベルを印刷するラベル印刷手段と、
前記ラベルの前記バーコードを読み取るラベル情報読取手段とを備えたことを特徴とする検体管理システム。
【請求項２】
前記ラベル情報読取手段は、前記処理情報記載手段を収容する収容手段に貼付された前記ラベルの前記バーコードを読み取ることを特徴とする請求項１に記載の検体管理システム。
【請求項３】
前記バーコードは、２次元バーコードであることを特徴とする請求項１または請求項２に記載の検体管理システム。
【請求項４】
検体の所定の処理に係る時間情報を含む検体情報が２次元バーコードで表示されたラベルを前記検体が収容される検体収容手段及び前記検体の所定の処理情報が記載される処理情報記載手段に貼付し、前記２次元バーコードによって前記検体情報を管理することを特徴とする検体管理方法。
【請求項５】
検体の所定の処理に係る時間情報を含む検体情報を２次元バーコードの符号に符号化する符号化ステップと、前記２次元バーコードを含むラベルを印刷する印刷ステップと、前記２次元バーコードの情報を読み出す読出ステップとをコンピュータに実行させることを特徴とする検体管理プログラム。
【請求項６】
請求項５に記載の検体管理プログラムを記憶したことを特徴とする記憶媒体。
【発明の詳細な説明】
【技術分野】
【０００１】
本発明は、例えば臍帯血、幹細胞、母体血等の検体を管理する検体管理のシステム、方法、プログラム及び記憶媒体に関する。
【背景技術】
【０００２】
従来、この種の検体管理システムは、予め登録されたユーザに関する情報と該登録ユーザ名義の依頼により出生時に採取され保管に付された登録ユーザ自身の臍帯血に関する情報とを対応付けて保存する保管情報記憶手段と、該臍帯血に関する情報を特定して出力する保管情報特定手段とを備え、保管情報特定手段は、登録ユーザ名義の請求があったときに、保管に付されている登録ユーザ自身の臍帯血に関する情報を特定して出力することによって、臍帯血を有効に活用することができるようになっている（例えば、特許文献１参照。）。
【特許文献１】特開２００３−１４１２６４号公報（第６−１１頁、第１図）
【発明の開示】
【発明が解決しようとする課題】
【０００３】
しかしながら、このような従来の検体管理システムでは、臍帯血の処理担当者が個別に臍帯血の情報の入力及び確認をする構成となっているので、母体と臍帯血との対応がとれなくなる恐れがあり、信頼性の高い検体管理を行うことができないという問題があった。
【０００４】
また、従来の検体管理システムでは、臍帯血の所定の処理に係る時間情報を管理していないので、例えば、母体から臍帯血が採取された時刻を正確に把握することができないという問題があった。
【０００５】
本発明は、このような問題を解決するためになされたものであり、母体と臍帯血等の検体との対応付けを高い信頼性で実現することができ、検体の所定の処理に係る時間情報を把握することができる検体管理システムを提供するものである。
【課題を解決するための手段】
【０００６】
本発明の臍帯血管理システムは、検体を収容する検体収容手段と前記検体の所定の処理情報が記載される処理情報記載手段と前記検体を管理する検体管理装置とを有し、前記検体収容手段及び処理情報記載手段は、前記検体の所定の処理に係る時間情報を含む検体情報が符号化されたバーコードを備え、前記検体管理装置は、前記検体情報を入力する検体情報入力手段と、前記バーコードを含むラベルを印刷するラベル印刷手段と、前記ラベルの前記バーコードを読み取るラベル情報読取手段とを備えたことを特徴とする構成を有している。
【０００７】
この構成により、ラベル情報読取手段は、検体が収容される容器及び関係書類に貼付されたラベルのバーコードを読み取るので、母体と検体との対応付けを高い信頼性で実現することができ、検体の所定の処理に係る時間情報を把握することができる。
【０００８】
また、本発明の臍帯血管理システムは、前記ラベル情報読取手段は、前記処理情報記載手段を収容する収容手段に貼付された前記ラベルの前記バーコードを読み取ることを特徴とする構成を有している。
【０００９】
この構成により、ラベル情報読取手段は、書類等をファイリングするファイルに貼付されたラベルのバーコードを読み取るので、検体と対応付けられた各書類を確実にファイリングすることができる。
【００１０】
さらに、本発明の臍帯血管理システムは、前記バーコードは、２次元バーコードであることを特徴とする構成を有している。
【００１１】
この構成により、２次元バーコードは、縦方向及び横方向の２次元方向に情報を符号化して表すことができるので、検体情報の情報量が多い場合でも検体情報を小スペースに表示することができる。
【００１２】
本発明の臍帯血管理方法は、検体の所定の処理に係る時間情報を含む検体情報が２次元バーコードで表示されたラベルを前記検体が収容される検体収容手段及び前記検体の所定の処理情報が記載される処理情報記載手段に貼付し、前記２次元バーコードによって前記検体情報を管理することを特徴とする方法である。
【００１３】
この方法により、検体の所定の処理に係る時間情報を含む検体情報を表示した２次元バーコードによって、母体と検体との対応付けを高い信頼性で実現することができ、検体の所定の処理に係る時間情報を把握することができる。
【００１４】
本発明の臍帯血管理プログラムは、検体の所定の処理に係る時間情報を含む検体情報を２次元バーコードの符号に符号化する符号化ステップと、前記２次元バーコードを含むラベルを印刷する印刷ステップと、前記２次元バーコードの情報を読み出す読出ステップとをコンピュータに実行させることを特徴とするプログラムである。
【００１５】
このプログラムにより、コンピュータは、検体の所定の処理に係る時間情報を含む検体情報を表示した２次元バーコードによって、母体と検体との対応付けを高い信頼性で実現することができ、検体の所定の処理に係る時間情報を把握することができる。
【００１６】
本発明の記憶媒体は、検体の所定の処理に係る時間情報を含む検体情報を２次元バーコードの符号に符号化する符号化ステップと、前記２次元バーコードを含むラベルを印刷する印刷ステップと、前記２次元バーコードの情報を読み出す読出ステップとをコンピュータに実行させるプログラムを記憶したことを特徴とする記憶媒体である。
【００１７】
この記憶媒体により、コンピュータは、検体の所定の処理に係る時間情報を含む検体情報を表示した２次元バーコードによって、母体と検体との対応付けを高い信頼性で実現することができ、検体の所定の処理に係る時間情報を把握することができる。
【発明の効果】
【００１８】
本発明は、検体の所定の処理に係る時間情報を含む検体情報を表示したバーコードを有するラベルが検体を収容する容器及び関係書類に貼付され、ラベルのバーコードを読み取るラベル情報読取手段を設けることにより、母体と検体との対応付けを高い信頼性で実現することができ、検体の所定の処理に係る時間情報を把握することができるという効果を有する検体管理システムを提供することができるものである。
【発明を実施するための最良の形態】
【００１９】
まず、本発明の実施の形態の検体管理システムの構成について説明する。
【００２０】
なお、検体とは、母体から採取された臍帯血、幹細胞、母体血等をいう。以下、臍帯血を採取する臍帯血採取施設、例えば産院において、本発明の実施の形態の検体管理システムを臍帯血の管理を行う臍帯血管理システムに適用した例を挙げて説明する。臍帯血とは、母親と胎児とを結ぶ臍帯及び胎盤の中に含まれる血液をいう。臍帯血には、赤血球、白血球、血小板等を作る造血幹細胞が含まれており、この臍帯血は、例えば白血病患者に移植され、造血機能を回復させる治療に利用される。
【００２１】
図１に示すように、本実施の形態の臍帯血管理システム１０は、臍帯血の所定の処理に係る時間情報を含む臍帯血情報を符号化し、臍帯血を管理する臍帯血管理装置２０と、臍帯血を収容する臍帯血採取バッグ３０と、臍帯血の所定の処理情報が記載されるｎ枚の書類４０（ａ〜ｎ）と、母体血を収容するｎ個の母体血採取容器５０（ａ〜ｎ）とを有している。
【００２２】
ここで、臍帯血の所定の処理に係る時間情報とは、例えば産院における臍帯血の採取処理、臍帯血の検査処理、臍帯血の出荷処理等が実施された年月日、時刻、所要時間等をいう。また、臍帯血情報とは、臍帯血が採取される採取施設、母親の氏名、臍帯血を管理するための検体管理番号等をいう。また、２次元バーコードは、縦方向及び横方向の２次元方向に情報を符号化して表したものであり、臍帯血が採取された時刻情報を含む時間情報及び臍帯血情報等を有している。
【００２３】
臍帯血管理装置２０は、図示しないＣＰＵ、メモリ、記憶装置等を有するパーソナルコンピュータ（以下、パソコンという。）本体２０ａと、臍帯血情報を入力するキーボード２０ｂと、臍帯血情報を表示する液晶ディスプレイ２０ｃと、臍帯血を収容する臍帯血容器及び臍帯血の所定の処理情報が記載される書類に貼付された２次元バーコードを含むラベル（以下、２次元ラベルという。）を印刷するプリンタ２０ｄと、２次元ラベルに表示された２次元バーコードを読み取るバーコードリーダ２０ｅとによって構成されている。パソコン本体２０ａは、キーボード２０ｂによって入力された臍帯血情報を２次元バーコードの符号に符号化し、符号化されたデータを記憶装置に記憶するようになっている。
【００２４】
プリンタ２０ｄは、２次元バーコードを印刷することができる印刷解像度を有し、パソコン本体２０ａからの信号に基づき、２次元バーコードを含む２次元ラベル及び所定の書類を印刷するようになっている。
【００２５】
バーコードリーダ２０ｅは、２次元バーコードに投光する光源、光源によって投光された２次元バーコードの明暗の差を検知する受光センサ、ＣＰＵ、インターフェイス等から構成されている。
【００２６】
臍帯血採取バッグ３０は、例えば塩化ビニールで構成された採血バッグ３０ａと採血バッグ３０ａに貼付されたシート３０ｂとから構成されている。採血バッグ３０ａには臍帯血が注入されている。シート３０ｂには、２次元バーコード６０ａが表示された２次元ラベル６０が貼付されている。また、シート３０ｂは、医師、看護士等が所定の情報を記入する記入欄３０ｃを有している。
【００２７】
書類４０には、それぞれ、２次元バーコード６０ａが表示された２次元ラベル６０が貼付されている。具体的には書類４０は、臍帯血献血の同意書、母体の家族歴調査書、問診表、分娩記録書、子供の健康状況調査書等である。
【００２８】
また、母体血採取容器５０は、例えばプラスチックで構成され、母体血採取容器５０には、それぞれ、臍帯血が採取された母体の母体血が収容され、２次元バーコード６０ａが表示された２次元ラベル６０が貼付されている。
【００２９】
ここで、２次元ラベル６０について図２を参照して説明する。
【００３０】
図２において２次元ラベル６０は、２次元バーコード６０ａと、臍帯血を管理する検体管理番号６０ｂと、臍帯血が採取された採取施設名６０ｃと、臍帯血が採取された母親の氏名６０ｄとで構成されている。
【００３１】
検体管理番号６０ｂは、例えば、臍帯血が採取された病院のコードと、２次元ラベル６０の発行年月の記号と、２次元ラベル６０の発行月のシリアル番号との組み合わせで構成される。具体例を挙げれば、臍帯血が採取された病院のコードが「０３」、２次元ラベル６０の発行年月が２００３年１０月、１０月における２次元ラベル６０のシリアル番号が「０１５」の場合は、検体管理番号６０ｂは、「０３２００３１００１５」のように決定される。
【００３２】
２次元バーコード６０ａは、検体管理番号６０ｂ、採取施設名６０ｃ、母親氏名６０ｄ、検体の所定の処理に係る時間情報等が符号化された情報を有している。したがって、時間情報を参照することにより、例えば、臍帯血が採取された時刻を確認することができる。
【００３３】
次に、本実施の形態の臍帯血管理システム１０の動作について説明する。
【００３４】
まず、パソコン本体２０ａによって、臍帯血情報の管理ソフトウェアが起動されて臍帯血情報の入力画面が液晶ディスプレイ２０ｃに表示され、キーボード２０ｂによって、臍帯血情報が入力される。入力された臍帯血情報は、パソコン本体２０ａの記憶装置に記憶される。
【００３５】
続いて、キーボード２０ｂの所定の操作によって、記憶装置に記憶された臍帯血情報が２次元バーコードの符号に符号化され、プリンタ２０ｄによって２次元ラベル６０が印刷される。この２次元ラベル６０は、採血バッグ３０ａ、書類４０、母体血採取容器５０に貼付される。次いで、採血バッグ３０ａ、書類４０、母体血採取容器５０は、出産まで所定の保管場所に保管される。
【００３６】
そして、出産の際、採血バッグ３０ａ、書類４０、母体血採取容器５０は、保管場所から取り出され、バーコードリーダ２０ｅによって２次元バーコード６０ａが読み取られて照合され、臍帯血情報が確認される。
【００３７】
引き続き、臍帯血は採血バッグ３０ａに採取され、母体血は母体血採取容器５０に採取される。ここで、キーボード２０ｂによって、臍帯血の採取日時、採取時期（胎盤娩出の前後）、採取者名等が追加された臍帯血情報が入力された後、プリンタ２０ｄによって臍帯血情報を含む２次元ラベル６１（図示せず）が印刷される。この２次元ラベル６１は、採血バッグ３０ａ、書類４０、母体血採取容器５０に予め貼付された２次元ラベル６０に換えて、または、追加して貼付される。なお、臍帯血の採取日時、採取時期、採取者名等を含む臍帯血情報を手書きで記入欄３０ｃに記載した後に２次元ラベル６１を貼付するように構成してもよい。
【００３８】
そして、分娩記録の情報が書類４０に記載され、臍帯血採取バッグ３０、書類４０、母体血採取容器５０は、臍帯血を保存する臍帯血バンク、臍帯血を検査する検査施設等に出荷される。出荷の際、臍帯血採取バッグ３０、書類４０、母体血採取容器５０に貼付された２次元ラベル６０または２次元ラベル６１の２次元バーコードの臍帯血情報をバーコードリーダ２０ｅによって読み取り、照合することができる。
【００３９】
なお、例えば産院内で臍帯血を検査する場合は、検査の日時の情報を２次元バーコードに含めるよう構成することができる。
【００４０】
また、書類４０の控えを保管する際、書類４０の控えをファイリングするファイル（収容手段）に２次元ラベル６１を貼付し、臍帯血情報を管理することができる。また、出荷の日時が符号化された２次元バーコードを含む２次元ラベルを新たに作成し、前述のファイルに貼付して管理してもよい。
【００４１】
また、臍帯血の採取、検査、出荷等の日時情報を含む臍帯血情報を２次元バーコードの符号に符号化する符号化ステップと、２次元バーコードを含むラベルを印刷する印刷ステップと、２次元バーコードの情報を読み出す読出ステップとを含むプログラムを記憶媒体に記憶し、パソコン本体２０ａに実行させることにより、時間情報を含む臍帯血の管理を実現することができる。
【００４２】
以上のように、本実施の形態の臍帯血管理システム１０によれば、バーコードリーダ２０ｅは、臍帯血が収容される容器及び関係書類に貼付されたラベルのバーコードを読み取るので、母体と臍帯血との対応付けを高い信頼性で実現することができ、臍帯血の所定の処理に係る時間情報を把握することができる。
【００４３】
なお、以上の説明では、本発明の実施の形態の検体管理システムを臍帯血の管理を行う臍帯血管理システムに適用した例を挙げて説明したが、臍帯血に限定されるものではなく、幹細胞、母体血等についても同様に実施可能である。
【００４４】
また、パソコン本体２０ａを臍帯血採取施設内のネットワークやインターネットに接続し、臍帯血情報を授受できるように構成してもよい。
【産業上の利用可能性】
【００４５】
以上のように、本発明に係る検体管理システムは、母体と検体との対応付けを高い信頼性で実現することができ、検体の所定の処理に係る時間情報を把握することができるという効果を有し、臍帯血、幹細胞、母体血等の検体を管理する検体管理システム等として有用である。
【図面の簡単な説明】
【００４６】
【図１】本発明の実施の形態の臍帯血管理システムのブロック図
【図２】本発明の実施の形態の２次元ラベルの一例を示す図
【符号の説明】
【００４７】
１０  臍帯血管理システム（検体管理システム）
２０  臍帯血管理装置
２０ａ  パソコン本体
２０ｂ  キーボード（検体情報入力手段）
２０ｃ  液晶ディスプレイ
２１  プリンタ（ラベル印刷手段）
２２  バーコードリーダ（ラベル情報読取手段）
３０  臍帯血採取バッグ（検体収容手段）
３０ａ  採血バッグ（検体収容手段）
３０ｂ  シート
３０ｃ  記入欄
４０（ａ〜ｎ）  書類（処理情報記載手段）
５０（ａ〜ｎ）  母体血採取容器（検体収容手段）
６０  ２次元ラベル
６０ａ  ２次元バーコード
６０ｂ  検体管理番号
６０ｃ  採取施設名
６０ｄ  母親氏名
【図１】
2005316655.tif 000003
【図２】
2005316655.tif 000004